(57)【要約】【課題】磁気テープライブラリの保守、運用を効率的に行うことができる磁気テープライブラリシステムを提供する。【解決手段】磁気テープライブラリ及びバックアップサーバとは独立した管理用ＰＣにおいて磁気テープライブラリの保守、運用をバーコード情報に基づき行うとともに、磁気テープごとに保守、運用に関する情報やユーザによるコメントを併せて記憶することで、磁気テープライブラリの保守、運用を効率的に行うことができる。【選択図】図１
2007294027.tif 000002
【特許請求の範囲】
【請求項１】
バックアップデータを記憶する複数の磁気テープを有する磁気テープライブラリと、
前記磁気テープライブラリにバックアップデータを格納するバックアップサーバと、
前記磁気テープライブラリの管理用コンピュータとを備えた磁気テープライブラリシステムにおいて、
前記管理用コンピュータは、前記磁気テープライブラリにおけるクリーニングテープによるクリーニングに関する情報及び前記磁気テープライブラリに対する操作ログ情報を収集し、ライブラリ管理データベースに格納することを特徴とする磁気テープライブラリシステム。
【請求項２】
前記管理用コンピュータは、前記ライブラリ管理データベースにおいて、各磁気テープに対して、ユーザが入力したコメントを付加して格納する機能を有することを特徴とする請求項１に記載の磁気テープライブラリシステム。
【請求項３】
前記管理用コンピュータは、前記ライブラリ管理データベースに格納している前記磁気テープライブラリに対する操作ログを外部装置に出力する機能を有することを特徴とする請求項１又は２に記載の磁気テープライブラリシステム。
【請求項４】
前記管理用コンピュータは、前記ライブラリ管理データベースに格納しているクリーニングの実行に関する情報に基づいて、前記磁気テープライブラリにおけるクリーニングの実行を制御することを特徴とする請求項１から３のいずれかに記載の磁気テープライブラリシステム。
【請求項５】
バックアップデータを記憶する複数の磁気テープを有する磁気テープライブラリと、
前記磁気テープライブラリにバックアップデータを格納するバックアップサーバと、
前記磁気テープライブラリの管理用コンピュータとを備えた磁気テープライブラリシステムの管理方法であって、
前記管理用コンピュータが、
前記磁気テープライブラリにおけるクリーニングテープによるクリーニングに関する情報及び前記磁気テープライブラリに対する操作ログ情報を前記磁気テープライブラリから収集し、ライブラリ管理データベースに格納するステップと、
前記ライブラリ管理データベースに格納された前記クリーニングに関する情報又は前記操作ログ情報を読み出すステップとを実行することを特徴とする方法。
【発明の詳細な説明】
【技術分野】
【０００１】
本発明は、磁気テープにバックアップデータを記憶し管理するための情報記憶システムに関するものである。
【背景技術】
【０００２】
日々発生する業務データなどをバックアップするための記憶システムとして、磁気テープを用いた情報記憶システムがある。このような情報記憶システムでは、多数の磁気テープを換装して情報を記録・再生できる磁気テープライブラリ装置が利用されている。
図４は、従来の磁気テープライブラリシステムの構成例を示す図である。この情報記憶システムは、バックアップサーバ100と、管理用ＰＣ300と、テープライブラリ装置400とを備えており、これらはFiber Channelスイッチ500により互いに接続されている。テープライブラリ装置400は、識別用バーコードを付した複数の磁気テープ402及びこれを記録再生するための１以上のテープドライブ401を有している。管理用ＰＣ300は、テープライブラリ装置400の磁気テープ402のに付されたバーコード（テープラベル）情報を記憶するテープラベル管理データベース302と、これを管理するテープラベル管理機能301とを有している。バックアップサーバ100は、バックアップデータを所定の方式でテープライブラリ装置400に送信するバックアップソフトウェア101及びバックアップデータを格納するストレージ105を有している。バックアップソフトウェア101は、テープライブラリ装置400から、テープドライブ401のドライブ情報104及び磁気テープ402のバーコード情報103を取得している。
図４に示す情報記憶システムにおいて、バックアップサーバ100のバックアップソフトウェア101は、ＪＯＢ定義102により定義されたバックアップＪＯＢを実行する。このとき、バックアップデータの保存先はバーコード情報103及びドライブ情報104により特定する。バックアップサーバ100から送信されたバックアップデータは、テープライブラリ装置400の磁気テープ402に格納される。
【特許文献１】特開２００５−２９３２２４号公報
【発明の開示】
【発明が解決しようとする課題】
【０００３】
図４に示す従来の情報記憶システムでは、テープライブラリ装置400の磁気テープ402の取り出し及び装着は、人手により制御パネル404を用いて行われている。この操作は煩雑であるため、人為的ミスが発生したり、制御機構の機械的な故障が発生したりする可能性がある上に、作業時間が長引くことによるデータ処理効率の低下が問題となっている。例えば、複数のバックアップＪＯＢが重なった場合など、バックアップデータとその保存先の磁気テープとの対応をバーコード情報のみで把握する管理方法では、混乱やミスが生じやすくなってしまう。
また、上記した情報記憶システムでは、テープライブラリ装置400本体及び磁気テープ402の保守、運用等は、バックアップサーバ100に取得されたバーコード情報103及びドライブ情報104に基づいて手動で行われる。保守、運用作業には、テープ操作、クリーニング、ログ管理などが含まれるが、このような作業をバーコード情報103及びドライブ情報104のみに基づき手動で行うのは煩雑であり、混乱やミスが生じやすい。
このような実情に鑑みて、本発明は、磁気テープライブラリの保守、運用を効率的に行うことができる磁気テープライブラリシステムを提供しようとするものである。
【課題を解決するための手段】
【０００４】
上記解決課題に鑑みて鋭意研究の結果、本発明者は、磁気テープライブラリ及びバックアップサーバとは独立した管理用ＰＣにおいて磁気テープライブラリの保守、運用をバーコード情報に基づき行うとともに、磁気テープごとに保守、運用に関する情報やユーザによるコメントを併せて記憶することで、磁気テープライブラリの保守、運用を効率的に行うことができることに想到し、以下のような本発明をなした。
すなわち、本発明は、バックアップデータを記憶する複数の磁気テープを有する磁気テープライブラリと、前記磁気テープライブラリにバックアップデータを格納するバックアップサーバと、前記磁気テープライブラリの管理用コンピュータとを備えた磁気テープライブラリシステムにおいて、前記管理用コンピュータは、前記磁気テープライブラリにおけるクリーニングテープによるクリーニングに関する情報及び前記磁気テープライブラリに対する操作ログ情報を収集し、ライブラリ管理データベースに格納することを特徴とする磁気テープライブラリシステムを提供するものである。
本発明の磁気テープライブラリシステムにおいて、前記管理用コンピュータは、前記ライブラリ管理データベースにおいて、各磁気テープに対して、ユーザが入力したコメントを付加して格納する機能を有することを特徴とする。
本発明の磁気テープライブラリシステムにおいて、前記管理用コンピュータは、前記ライブラリ管理データベースに格納している前記磁気テープライブラリに対する操作ログを外部装置に出力する機能を有することを特徴とする。
本発明の磁気テープライブラリシステムにおいて、前記管理用コンピュータは、前記ライブラリ管理データベースに格納しているクリーニングの実行に関する情報に基づいて、前記磁気テープライブラリにおけるクリーニングの実行を制御することを特徴とする。
本発明は、また、バックアップデータを記憶する複数の磁気テープを有する磁気テープライブラリと、前記磁気テープライブラリにバックアップデータを格納するバックアップサーバと、前記磁気テープライブラリの管理用コンピュータとを備えた磁気テープライブラリシステムの管理方法であって、前記管理用コンピュータが、前記磁気テープライブラリにおけるクリーニングテープによるクリーニングに関する情報及び前記磁気テープライブラリに対する操作ログ情報を前記磁気テープライブラリから収集し、ライブラリ管理データベースに格納するステップと、前記ライブラリ管理データベースに格納された前記クリーニングに関する情報又は前記操作ログ情報を読み出すステップとを実行することを特徴とする方法を提供するものである。
【発明の効果】
【０００５】
以上、説明したように、本発明の磁気テープライブラリシステムによれば、磁気テープライブラリにおけるクリーニングの実行、操作ログの管理等を独立した管理用コンピュータにより実行することができるので、磁気テープライブラリの保守、運用を効率的に行うことが可能となる。
【発明を実施するための最良の形態】
【０００６】
以下、添付図面を参照しながら、本発明の磁気テープライブラリシステムを実施するための最良の形態を詳細に説明する。図１〜図３は、本発明の実施の形態を例示する図であり、これらの図において、同一の符号を付した部分は同一物を表わし、基本的な構成及び動作は同様であるものとする。
図１は、本発明の一実施形態にかかる情報記憶システムの構成を概略的に示す図である。図１において、情報記憶システムは、バックアップサーバ100と、管理用ＰＣ200と、テープライブラリ装置400とを備えており、これらはFiber Channelスイッチ500により互いに接続されている。
テープライブラリ装置400は、識別用バーコードを付した複数の磁気テープ402及びこれを記録再生するための１以上のテープドライブ401を有している。
バックアップサーバ100は、バックアップデータを所定の方式でテープライブラリ装置400に送信するバックアップソフトウェア101及びバックアップデータを格納するストレージ105を有している。バックアップソフトウェア101は、テープライブラリ装置400から、テープドライブ401のドライブ情報104及び磁気テープ402のバーコード情報103を取得している。
管理用ＰＣ200は、テープライブラリ装置400本体及び磁気テープ402の保守、運用に関する情報等を記憶するライブラリ管理データベース202と、これを管理するライブラリ管理機能201とを有している。
図１に示す情報記憶システムにおいて、バックアップサーバ100のバックアップソフトウェア101は、ＪＯＢ定義102により定義されたバックアップＪＯＢを実行する。このとき、バックアップデータの保存先はバーコード情報103及びドライブ情報104により特定する。バックアップサーバ100から送信されたバックアップデータは、テープライブラリ装置400の磁気テープ402に格納される。
一方、管理用ＰＣ200は、所定のタイミングでテープライブラリ装置400からバーコード情報を取得し、ライブラリ管理データベース202に記憶する。管理用ＰＣ200は、また、管理用ＰＣ200は、テープライブラリ装置400のクリーニング実行を制御したり、操作ログを収集したりすることができる。ここで、管理用ＰＣ200とテープライブラリ装置400との通信は、ＴＣＰ／ＩＰで行うものとする。
図２は、管理用ＰＣ200のライブラリ管理データベース202に記憶されているデータの具体例を示す図である。図２に示すように、ライブラリ管理データベース202は、ライブラリ管理テーブルを有している。ライブラリ管理テーブルは、テープライブラリ装置400の磁気テープ402のバーコード情報として、各磁気テープの格納先スロット番号、付されたバーコードラベルの他、図示しないテープ仕様情報などを格納している。ライブラリ情報管理テーブルには、また、ユーザが任意に書き込むコメントとクリーニングテープによるクリーニングの実行に関するが格納されている。
管理用ＰＣ200のライブラリ管理機能201は、ユーザがライブラリ管理データベース202に対して操作を行うためのＧＵＩインタフェースを提供する。ＧＵＩインタフェース画面上では、図３に示すように、互いに対応する仮想テープライブラリ300及びテープライブラリ装置400上のドライブ及びスロットに関する情報がツリー階層形式で表示される。このＧＵＩインタフェースを用いて、ユーザは、ライブラリ管理データベース202のライブラリ管理テーブルのコメント及びクリーニングに関する情報を記入、更新、削除することができる。ライブラリ管理データベース202にクリーニングに関する情報が格納されている場合には、ライブラリ管理機能201は、当該情報に基づきクリーニングを行うようテープライブラリ装置400に対して要求を送信する。
また、管理用ＰＣ200のライブラリ管理機能201は、テープライブラリ装置400に対して行われた操作のログをテープライブラリ装置400から取得することができる。この操作ログは、例えば、テキスト形式で管理用ＰＣ200の画面上に表示したり、出力したりすることができる。この機能を実現するために、テープライブラリ装置400は、操作ログを蓄積し、管理用ＰＣ200からの要求に応じて送信する機能を有しているものとする。
以上のような機能により、テープライブラリ装置400及び磁気テープ402の保守、運用を効率的かつ容易に行うことが可能となる。
以上、本発明の磁気テープライブラリシステムについて、具体的な実施の形態を示して説明したが、本発明はこれらに限定されるものではない。当業者であれば、本発明の要旨を逸脱しない範囲内において、上記各実施形態にかかる発明の構成及び機能に様々な変更・改良を加えることが可能である。
【図面の簡単な説明】
【０００７】
【図１】本発明の一実施形態にかかる情報記憶システムの構成を概略的に示す図である。
【図２】管理用ＰＣのライブラリ管理データベースに記憶されているデータの具体例を示す図である。
【図３】仮想テープライブラリ及びテープライブラリ装置上のドライブ及びスロットに関する情報をツリー階層形式で表示する画面例を示す図である。
【図４】従来の磁気テープライブラリシステムの構成例を示す図である。
【符号の説明】
【０００８】
100  バックアップサーバ
101  バックアップソフトウェア
102  ＪＯＢ定義
103  バーコード情報
104  ドライブ情報
105  ストレージ
200  管理用ＰＣ
201  ライブラリ管理機能
202  ライブラリ管理データベース
300  管理用ＰＣ
301  テープラベル管理機能
302  テープラベル管理データベース
400  テープライブラリ装置
401  テープドライブ
402  磁気テープ
403  バーコード情報
404  制御パネル
500  Fiber Channelスイッチ
【図１】
2007294027.tif 000003
【図２】
2007294027.tif 000004
【図３】
2007294027.tif 000005
【図４】
2007294027.tif 000006